(57)【要約】【課題】Ｄ２Ｄワイヤレス通信のための通信装置、通信方法および集積回路を提供する。【解決手段】一実施形態に係る通信装置は、複数のリソースプールから１つのリソースプールを決定する制御回路と、１つのリソースプールを用いてデバイス間（Ｄ２Ｄ）通信の信号を送信する送信機と、を具備し、複数のリソースプールにおける第１のリソースプールは基地局から個別Radio Resource Control（ＲＲＣ）シグナリングによって指示され、複数のリソースプールにおける第２のリソースプールは基地局からシステム情報ブロック（ＳＩＢ）シグナリングによって指示され、ＲＲＣ＿ＣＯＮＮＥＣＴＥＤである第１のステータスとＲＲＣ＿ＩＤＬＥである第２のステータスでは、複数のリソースプールにおいて優先されるリソースプールが異なる。【選択図】図７
2020043616.tif 000002
【特許請求の範囲】
【請求項１】
複数のリソースプールから１つのリソースプールを決定する制御回路と、
前記１つのリソースプールを用いてデバイス間（Ｄ２Ｄ）通信の信号を送信する送信機と、を具備し、
前記複数のリソースプールにおける第１のリソースプールは基地局から個別Radio Resource Control（ＲＲＣ）シグナリングによって指示され、前記複数のリソースプールにおける第２のリソースプールは前記基地局からシステム情報ブロック（ＳＩＢ）シグナリングによって指示され、
ＲＲＣ＿ＣＯＮＮＥＣＴＥＤである第１のステータスとＲＲＣ＿ＩＤＬＥである第２のステータスでは、前記複数のリソースプールにおいて優先されるリソースプールが異なる、
通信装置。
【請求項２】
前記第１のステータスでは前記第１のリソースプールが優先され、前記第２のステータスでは前記第２のリソースプールが優先される、
請求項１に記載の通信装置。
【請求項３】
前記複数のリソースプールにおける第３のリソースプールは事前設定される、
請求項１に記載の通信装置。
【請求項４】
第１の通信モードで前記Ｄ２Ｄ通信を行うことが一時的にできないことを検出した場合、前記第２のリソースプールを用いて前記Ｄ２Ｄ通信が継続され、前記第１の通信モードは前記基地局のスケジューリングに基づいて前記Ｄ２Ｄ通信を実施する、
請求項１に記載の通信装置。
【請求項５】
前記通信装置が第１の通信モードから第２の通信モードに切り替わる場合、前記第２のリソースプールを用いて前記Ｄ２Ｄ通信が継続され、前記第１の通信モードは前記基地局のスケジューリングに基づいて前記Ｄ２Ｄ通信を実施し、前記第２の通信モードは前記通信装置自身のスケジューリングに基づいて前記Ｄ２Ｄ通信を実施する、
請求項１に記載の通信装置。
【請求項６】
前記複数のリソースプールの各々は複数のリソースを含み、前記送信機は前記複数のリソースの１つに配置された前記Ｄ２Ｄ通信の信号を送信する、
請求項１に記載の通信装置。
【請求項７】
複数のリソースプールから１つのリソースプールを決定し、
前記１つのリソースプールを用いてデバイス間（Ｄ２Ｄ）通信の信号を送信し、
前記複数のリソースプールにおける第１のリソースプールは基地局から個別Radio Resource Control（ＲＲＣ）シグナリングによって指示され、前記複数のリソースプールにおける第２のリソースプールは前記基地局からシステム情報ブロック（ＳＩＢ）シグナリングによって指示され、
ＲＲＣ＿ＣＯＮＮＥＣＴＥＤである第１のステータスとＲＲＣ＿ＩＤＬＥである第２のステータスでは、前記複数のリソースプールにおいて優先されるリソースプールが異なる、
通信方法。
【請求項８】
前記第１のステータスでは前記第１のリソースプールが優先され、前記第２のステータスでは前記第２のリソースプールが優先される、
請求項７に記載の通信方法。
【請求項９】
前記複数のリソースプールにおける第３のリソースプールは事前設定される、
請求項７に記載の通信方法。
【請求項１０】
第１の通信モードで前記Ｄ２Ｄ通信を行うことが一時的にできないことを検出した場合、前記第２のリソースプールを用いて前記Ｄ２Ｄ通信が継続され、前記第１の通信モードは前記基地局のスケジューリングに基づいて前記Ｄ２Ｄ通信を実施する、
請求項７に記載の通信方法。
【請求項１１】
通信装置が第１の通信モードから第２の通信モードに切り替わる場合、前記第２のリソースプールを用いて前記Ｄ２Ｄ通信が継続され、前記第１の通信モードは前記基地局のスケジューリングに基づいて前記Ｄ２Ｄ通信を実施し、前記第２の通信モードは前記通信装置自身のスケジューリングに基づいて前記Ｄ２Ｄ通信を実施する、
請求項７に記載の通信方法。
【請求項１２】
前記複数のリソースプールの各々は複数のリソースを含み、
前記複数のリソースの１つに配置された前記Ｄ２Ｄ通信の信号を送信する、
請求項７に記載の通信方法。
【請求項１３】
複数のリソースプールから１つのリソースプールを決定する処理と、
前記１つのリソースプールを用いてデバイス間（Ｄ２Ｄ）通信の信号を送信する処理と、を制御し、
前記複数のリソースプールにおける第１のリソースプールは基地局から個別Radio Resource Control（ＲＲＣ）シグナリングによって指示され、前記複数のリソースプールにおける第２のリソースプールは前記基地局からシステム情報ブロック（ＳＩＢ）シグナリングによって指示され、
ＲＲＣ＿ＣＯＮＮＥＣＴＥＤである第１のステータスとＲＲＣ＿ＩＤＬＥである第２のステータスでは、前記複数のリソースプールにおいて優先されるリソースプールが異なる、
集積回路。
【発明の詳細な説明】
【技術分野】
【０００１】
本開示は、ワイヤレス通信の分野に関し、詳細には、デバイス間（Ｄ２Ｄ）ワイヤレス通信の通信装置、通信方法および集積回路に関する。
【背景技術】
【０００２】
デバイス間（Ｄ２Ｄ）ワイヤレス通信は、３ＧＰＰ（3rdGeneration Partnership Project）  ＬＴＥ（Long Term Evolution）リリース１２における新しいトピックである。Ｄ２Ｄ通信は、（例えば商用の場合のために）ワイヤレスネットワークカバレージを伴ってまたは（例えば、公共安全のために）ネットワークカバレージを伴わずに起こり得る。図１に、ワイヤレスネットワークカバレージを伴うおよび伴わない例示的なＤ２Ｄ通信を示す。図１の左側において、ＵＥ１０１およびＵＥ１０２はｅＮＢ（ｅノードＢ）１０３のワイヤレスネットワークカバレージ内にあるが、それらは互いに直接（すなわち、ｅＮＢ１０３を通さずに）通信している。図１の右側において、ＵＥ１０４およびＵＥ１０５はどのようなワイヤレスネットワークカバレージ内にもなく、それらは互いに直接通信している。
【０００３】
Ｄ２Ｄ通信機能を有するＵＥ（Ｄ２Ｄ  ＵＥ）がワイヤレスネットワークカバレージを伴うとき、すなわち、ＬＴＥワイドエリアネットワーク（ＷＡＮ）内にあるとき、Ｄ２Ｄ  ＵＥは、同時にＬＴＥ  ＷＡＮとＤ２Ｄを用いて動作することができる。これは、いくつかの無線リソース／サブフレーム内では、Ｄ２Ｄ  ＵＥはＬＴＥ  ＷＡＮ信号を送信／受信するが、他の無線リソース／サブフレーム内では、Ｄ２Ｄ  ＵＥはＤ２Ｄ信号を送信／受信することを意味する。現在、リソース割当ての観点から、Ｄ２Ｄ  ＵＥは、Ｄ２Ｄ通信のために以下の２つのモード（ＬＴＥ  Ｒｅｌ．１２を参照）の一方で動作することができる。
モード１：ｅノードＢまたはＬＴＥ  ｒｅｌ−１０リレーノードは、直接データおよび直接制御情報を送信するためにＵＥによって使用される正確なリソースをスケジュールする。
モード２：ＵＥは、直接データおよび直接制御情報を送信するためにリソースプールからリソースを単独で選択する。
【０００４】
モード１では、Ｄ２Ｄ送信のリソースはｅＮＢによって割り当てられるかまたは完全に制御されるが、モード２では、ＵＥ自体がＤ２Ｄ送信のためのリソースを選択する。
【発明の概要】
【課題を解決するための手段】
【０００５】
本開示の第１の態様によると、ユーザ機器（ＵＥ）によって実行されるデバイス間（Ｄ２Ｄ）ワイヤレス通信方法であって、モード１動作からモード２動作に切り替わるとき、モード２動作のために割り当てられた送信リソースプールからのリソースを使用することによってＤ２Ｄ送信を続ける、Ｄ２Ｄワイヤレス通信方法が提供される。
【０００６】
本開示の第２の態様によると、ユーザ機器（ＵＥ）によって実行されるデバイス間（Ｄ２Ｄ）ワイヤレス通信方法であって、モード２動作のために割り当てられた送信リソースプールからのリソースを使用することによってＤ２Ｄ送信を実行し、前記送信リソースプールは、ｅノードＢ（ｅＮＢ）によって送信される個別無線リソース制御（ＲＲＣ）シグナリング、ｅＮＢによって送信されるシステム情報ブロック（ＳＩＢ）、他のＵＥによって送信される物理デバイス間共有チャネル（ＰＤ２ＤＳＣＨ）、および／または事前設定によって通知され、前記個別ＲＲＣシグナリング、前記ＳＩＢ、前記ＰＤ２ＤＳＣＨおよび前記事前設定は、前記送信リソースプールを決定するときに優先度において降順である、Ｄ２Ｄワイヤレス通信方法が提供される。
【０００７】
本開示の第３の態様によると、ユーザ機器（ＵＥ）によって実行されるデバイス間（Ｄ２Ｄ）ワイヤレス通信方法であって、通知または事前設定されたＤ２Ｄ受信リソースプールのセットにおいてＤ２Ｄ信号を受信し、前記通知されたＤ２Ｄ受信リソースプールは、ｅノードＢ（ｅＮＢ）によって送信される個別無線リソース制御（ＲＲＣ）シグナリングによって通知された受信リソースプール、ｅＮＢによって送信されるシステム情報ブロック（ＳＩＢ）によって通知された受信リソースプール、および／または他のＵＥによって送信される物理デバイス間共有チャネル（ＰＤ２ＤＳＣＨ）によって通知された受信リソースプールである、Ｄ２Ｄワイヤレス通信方法が提供される。
【０００８】
本開示の第４の態様によると、  デバイス間（Ｄ２Ｄ）ワイヤレス通信のためのユーザ機器（ＵＥ）であって、モード１動作からモード２動作に切り替わるとき、モード２動作のために割り当てられたリソースプールからのリソースを使用することによってＤ２Ｄ送信を続けるように構成された動作切替え部を備える、ＵＥが提供される。
【０００９】
本開示の第５の態様によると、デバイス間（Ｄ２Ｄ）ワイヤレス通信のためのユーザ機器（ＵＥ）であって、モード２動作のために割り当てられたリソースプールからのリソースを使用することによってＤ２Ｄ送信を実行するように構成された通信部を備え、前記送信リソースプールは、ｅノードＢ（ｅＮＢ）によって送信される個別無線リソース制御（ＲＲＣ）シグナリング、ｅＮＢによって送信されるシステム情報ブロック（ＳＩＢ）、他のＵＥによって送信される物理デバイス間共有チャネル（ＰＤ２ＤＳＣＨ）、および／または事前設定によって通知され、前記個別ＲＲＣシグナリング、前記ＳＩＢ、前記ＰＤ２ＤＳＣＨおよび前記事前設定は、前記送信リソースプールを決定するときに優先度において降順である、ＵＥが提供される。
【００１０】
本開示の第６の態様によると、デバイス間（Ｄ２Ｄ）ワイヤレス通信のためのユーザ機器（ＵＥ）であって、通知または事前設定されたＤ２Ｄ受信リソースプールのセットにおいてＤ２Ｄ信号を受信するように構成された通信部を備え、前記通知されたＤ２Ｄ受信リソースプールは、ｅノードＢ（ｅＮＢ）によって送信される個別無線リソース制御（ＲＲＣ）シグナリングによって通知された受信リソースプール、ｅＮＢによって送信されるシステム情報ブロック（ＳＩＢ）によって通知された受信リソースプール、および／または他のＵＥによって送信される物理デバイス間共有チャネル（ＰＤ２ＤＳＣＨ）によって通知された受信リソースプールである、ＵＥが提供される。
【００１１】
上記は概要であり、したがって、当然、単純化、一般化、および詳細の省略を含む。本明細書に記載の装置および／またはプロセスおよび／または他の主題の、他の態様、特徴、および利点は、本明細書に記載の教示において明らかとされよう。概要は、簡略化された形態で概念の選択を紹介するために提供されており、以下の発明を実施するための形態でさらに説明される。この概要は、特許請求される主題の主要な特徴または本質的な特徴を特定することを意図するものではなく、特許請求される主題の範囲を決定する補助として使用されることを意図するものでもない。
【図面の簡単な説明】
【００１２】
本開示の上記および他の特徴は、添付の図面と併せて以下の説明および添付の特許請求の範囲からより完全に明らかとされる。これらの図面は、本開示によるいくつかの実施形態のみを示し、したがってその範囲が限定されるものと解釈されるべきではないことを理解して、本開示は、添付の図面の使用によりさらに具体的かつ詳細に説明する。
【図１】ワイヤレスネットワークカバレージを伴うおよび伴わない例示的なＤ２Ｄ通信を示す図である。
【図２】本開示の第１の実施形態によるＤ２Ｄワイヤレス通信方法２００のフローチャートである。
【図３】別のＵＥからＰＤ２ＤＳＣＨを受信するためにモード１動作からモード２動作に切り替わるＵＥの概略図である。
【図４】モード１動作からモード２動作に切り替わるＵＥがＰＤ２ＤＳＣＨとＳＩＢの両方からリソースプール通知を受信する概略図である。
【図５】本開示の第１の実施形態によるＵＥ５００を示すブロック図である。
【図６】本開示の第２の実施形態によるＤ２Ｄワイヤレス通信方法６００のフローチャートである。
【図７】本開示の第２の実施形態によるＵＥ７００を示すブロック図である。
【発明を実施するための形態】
【００１３】
以下の詳細な説明では、それの一部を形成する添付の図面への参照を行う。図面において、同様のシンボルは、文脈が別段に規定しない限り、一般に同様の構成要素を特定する。本開示の態様は多種多様な異なる構成で配置、使用、合成、設計でき、それらのすべては明示的に企図され、本開示の一部分をなすことが容易に理解されよう。
【００１４】
（第１の実施形態）
上記で説明したように、ＵＥはモード１またはモード２でＤ２Ｄ通信を実行することができる。場合によっては、ＵＥは、モード１動作からモード２動作に切り替わる必要があり得る。例えば、モード１で動作しているＵＥは、ＵＥが一時的にモード１で動作することができないいくつかの例外的な場合、連続的Ｄ２Ｄ動作を保つためにモード２送信を行う必要があり得る。言い換えれば、モード１動作からモード２動作への切替えは、ＵＥが一時的にモード１で動作することができない例外的な場合によってトリガされ得る。そのような例外的なモード２送信をトリガする候補条件は、例えば以下の通りである。
ＰｒｏＳｅ−ＢＳＲを送った後のある期間内にＰｒｏＳｅ通信の許可が受信されない、または
ＰｒｏＳｅ通信についてのリソース要求の開始後のある期間内にＰｒｏＳｅ−ＢＳＲの許可が受信されない。
【００１５】
ＵＥがモード１動作からモード２動作に切り替わるとき、ＵＥがどのようなリソースを使用し得るか、およびＵＥがどのようにモード２動作のリソースを決定するかが、特に例外的な場合では、重要な問題になる。本開示の第１の実施形態では、ＵＥは、モード１動作からモード２動作に切り替わるとき、モード２動作のために割り当てられた送信リソースプールからのリソースを使用することによってＤ２Ｄ送信を続ける。本実施形態では、ｅＮＢは、切替えのために特殊なモード２リソースを割り当てず、例えば、例外的なモード２リソースを割り当てず、むしろ、ＵＥは、通常のモード２送信リソースプールからのリソース、すなわち、モード２動作のために割り当てられた送信リソースプールを使用する。
【００１６】
特に、第１の実施形態は、図２に示されているようにＵＥによって実行されるＤ２Ｄワイヤレス通信方法２００を提供する。図２は、本開示の第１の実施形態によるＤ２Ｄワイヤレス通信方法２００のフローチャートを示す。方法２００は、モード１動作からモード２動作に切り替わるとき、モード２動作のために割り当てられた送信リソースプールからのリソースを使用することによってＤ２Ｄ送信を続けるステップ２０１を含む。
【００１７】
第１の実施形態では、ＵＥがモード１からモード２に切り替わるとき、Ｄ２Ｄ通信を続けるためにモード２動作のために割り当てられた送信リソースプール、すなわち、モード切替えに固有でない通常のモード２送信リソースプールが使用される。切替えのために特殊なリソースは割り当てられず、通常のモード２送信リソースプールが再利用されるので、本開示の実施形態は、ソースを節約し、特殊な切替えリソースを割り当てるためのシグナリングオーバーヘッドを潜在的に節約する。
【００１８】
第１の実施形態の一例では、送信リソースプールは、１つまたは複数の他のＵＥによって送信される物理デバイス間共有チャネル（ＰＤ２ＤＳＣＨ）で通知され得る。ＰＤ２ＤＳＣＨは、３ＧＰＰ  ＲＡＮ１において合意されたＤ２Ｄチャネルであり（ＬＴＥ  Ｒｅｌ．１２を参照）、カバレージ内ＵＥがＯＯＣ  ＵＥにいくつかの同期／タイミングおよびリソースプール／電力制御パラメータを転送するために使用される。その意図は、ＬＴＥ  ＷＡＮトラフィックおよびカバレージ内モード１／２送信を保護することである。本開示では、モード１動作からモード２動作に切り替わるＵＥは、それがワイヤレスネットワークカバレージ内にあり得るが、モード２動作のための送信リソースプールについての知識を得るために、１つまたは複数の他のＵＥから送信されたＰＤ２ＤＳＣＨをも受信することができる。図３に、別のＵＥからＰＤ２ＤＳＣＨを受信するためにモード１動作からモード２動作に切り替わるＵＥの概略図を示す。図３において、ＵＥ３０１はモード１動作からモード２に切り替わるＵＥであり、ＵＥ３０２はＰＤ２ＤＳＣＨを転送するＵＥである。ＵＥ３０１はＵＥ３０２のＰＤ２ＤＳＣＨカバレージ内にある。したがって、ＵＥ３０１は、ＵＥ３０２から送信されたＰＤ２ＤＳＣＨを受信できることがわかる。特に、ＰＤ２ＤＳＣＨが複数のＵＥによって送信された場合、ＰＤ２ＤＳＣＨを受信するためにソフト合成が使用され得る。この例によれば、通常のモード２動作のための送信リソースプールは、追加のシグナリングオーバーヘッド無しでモード１動作からモード２動作に切り替わるＵＥに通知され得る。
【００１９】
他の例では、送信リソースプールは、ｅＮＢによって送信される個別ＲＲＣシグナリング、ｅＮＢによって送信されるＳＩＢ、または事前設定によっても通知され得る。特に、時々、モード１動作からモード２動作に切り替わるＵＥは、２つ以上のリソースプール通知を取得することが可能である。この場合、一例によれば、個別ＲＲＣシグナリング、ＳＩＢ、ＰＤ２ＤＳＣＨおよび事前設定は、送信リソースプールを決定するときに優先度において降順である。言い換えれば、個別ＲＲＣシグナリングの優先度はＳＩＢよりも高く、ＳＩＢの優先度はＰＤ２ＤＳＣＨよりも高く、ＰＤ２ＤＳＣＨの優先度は事前設定よりも高い。結論として、この例では、送信リソースプールは、ｅＮＢによって送信される個別ＲＲＣシグナリング、ｅＮＢによって送信されるＳＩＢ、他のＵＥによって送信されるＰＤ２ＤＳＣＨ、および／または事前設定によって通知されることが可能であり、個別ＲＲＣシグナリング、ＳＩＢ、ＰＤ２ＤＳＣＨおよび事前設定は、送信リソースプールを決定するときに優先度において降順である。図４に、モード１動作からモード２動作に切り替わるＵＥ４０１がＰＤ２ＤＳＣＨとＳＩＢの両方からリソースプール通知を受信する概略図を示す。この場合、ＵＥ４０１は、ＳＩＢの優先度がＰＤ２ＤＳＣＨよりも高いので、ＳＩＢで通知されたリソースプールを選択することになる。それに応じて、受信側において、どのような受信ＵＥも、通知または事前設定されたＤ２Ｄ受信リソースプールのセット（union）においてＤ２Ｄ信号を受信することができる。通知されたＤ２Ｄ受信リソースプールは、ｅＮＢによって送信されるＲＲＣシグナリングによって通知された受信リソースプール、ｅＮＢによって送信されるＳＩＢによって通知された受信リソースプール、および／または他のＵＥによって送信されるＰＤ２ＤＳＣＨによって通知された受信リソースプールであり得る。ここでは、Ｄ２Ｄ受信リソースプールは、Ｄ２Ｄ信号を受信するためのリソースプールを指す。ただ１つの受信リソースプールが通知または事前設定された場合、それのセットはその１つの受信リソースプール自体であることに留意されたい。
【００２０】
第１の実施形態では、Ｄ２Ｄワイヤレス通信のためのＵＥも提供される。図５は、本開示の第１の実施形態によるＵＥ５００を示すブロック図である。ＵＥ５００は動作切替え部５０１を備える。動作切替え部５０１は、モード１動作からモード２動作に切り替わるとき、モード２動作のために割り当てられた送信リソースプールからのリソースを使用することによってＤ２Ｄ送信を続ける。
【００２１】
本開示によるＵＥ５００は、場合によっては、様々なデータを処理し、ＵＥ５００中のそれぞれの構成部の動作を制御するように関係するプログラムを実行するためのＣＰＵ（Central Processing Unit）５１０、ＣＰＵ５１０が様々なプロセスおよび制御を実行するために必要とされる様々なプログラムを記憶するためのＲＯＭ（Read Only Memory）５１３、ＣＰＵ５１０によるプロセスおよび制御の手順において一時的に生成された中間データを記憶するためのＲＡＭ（Random Access Memory）５１５、および／または様々なプログラム、データを記憶するための記憶部５１７などを含み得る。上記の動作切替え部５０１、ＣＰＵ５１０、ＲＯＭ５１３、ＲＡＭ５１５および／または記憶部５１７などは、データおよび／またはコマンドバス５２０を介して相互接続され、互いの間で信号を転送し得る。
【００２２】
上記で説明したそれぞれの構成部は本開示の範囲を限定するものではない。本開示の一実装形態によれば、上記の動作切替え部５０１の機能はハードウェアによって実装でき、上記のＣＰＵ５１０、ＲＯＭ５１３、ＲＡＭ５１５および／または記憶部５１７は不要であり得る。代替的に、上記の動作切替え部５０１の機能は、上記のＣＰＵ５１０、ＲＯＭ５１３、ＲＡＭ５１５および／または記憶部５１７などと組み合わせて機能ソフトウェアによっても実装され得る。
【００２３】
（第２の実施形態）
本開示の第２の実施形態では、第１の実施形態において述べたモード２リソース選択に関する優先度ルールは、いかなるモード２動作にも拡張でき、それは、モード１からモード２への切替えに限定されず、特に、第１の実施形態において述べた例外的な場合に限定されない。
【００２４】
特に、第２の実施形態は、図６に示されているようにＵＥによって実行されるＤ２Ｄワイヤレス通信方法６００を提供する。図６は、本開示の第２の実施形態によるＤ２Ｄワイヤレス通信方法６００のフローチャートを示す。方法６００は、モード２動作のために割り当てられた送信リソースプールからのリソースを使用することによってＤ２Ｄ送信を実行するステップ６０１を含む。第２の実施形態では、送信リソースプールは、ｅノードＢ（ｅＮＢ）によって送信される個別ＲＲＣシグナリング、ｅＮＢによって送信されるシステム情報ブロック（ＳＩＢ）、他のＵＥによって送信される物理デバイス間共有チャネル（ＰＤ２ＤＳＣＨ）、および／または事前設定によって通知され、個別ＲＲＣシグナリング、ＳＩＢ、ＰＤ２ＤＳＣＨおよび事前設定は、送信リソースプールを決定するときに優先度において降順である。第１の実施形態における関連の説明は第２の実施形態にも適用でき、ここで繰り返し説明しないことに留意されたい。
【００２５】
特に、ＲＲＣ＿ＣＯＮＮＥＣＴＥＤステータスを有するモード２ＵＥには、通知された個別ＲＲＣシグナリング＞通知されたＳＩＢ＞通知されたＰＤ２ＤＳＣＨ＞事前設定、という優先度ルールが適用され得る。ＲＲＣ＿ＩＤＬＥステータスを有するモード２ＵＥには、通知されたＳＩＢ＞通知されたＰＤ２ＤＳＣＨ＞事前設定、という優先度ルールが適用され得る。ＬＴＥ  ＷＡＮセルに近く、ＰＤ２ＤＳＣＨ情報を受信することができるＯＯＣ  ＵＥには、通知されたＰＤ２ＤＳＣＨ＞事前設定、という優先度ルールが適用され得る。
【００２６】
第２の実施形態では、Ｄ２Ｄワイヤレス通信のためのＵＥも提供される。図７は、本開示の第２の実施形態によるＵＥ７００を示すブロック図である。ＵＥ７００は通信部７０１を備える。通信部７０１は、モード２動作のために割り当てられた送信リソースプールからのリソースを使用することによってＤ２Ｄ送信を実行するように構成でき、送信リソースプールは、ｅノードＢ（ｅＮＢ）によって送信される個別ＲＲＣシグナリング、ｅＮＢによって送信されるシステム情報ブロック（ＳＩＢ）、他のＵＥによって送信される物理デバイス間共有チャネル（ＰＤ２ＤＳＣＨ）、および／または事前設定によって通知され、個別ＲＲＣシグナリング、ＳＩＢ、ＰＤ２ＤＳＣＨおよび事前設定は、送信リソースプールを決定するときに優先度において降順である。
【００２７】
本開示によるＵＥ７００は、場合によっては、様々なデータを処理し、ＵＥ７００中のそれぞれの構成部の動作を制御するように関係するプログラムを実行するためのＣＰＵ（Central Processing Unit）７１０、ＣＰＵ７１０が様々なプロセスおよび制御を実行するために必要とされる様々なプログラムを記憶するためのＲＯＭ（Read Only Memory）７１３、ＣＰＵ７１０によるプロセスおよび制御の手順において一時的に生成された中間データを記憶するためのＲＡＭ（Random Access Memory）７１５、および／または様々なプログラム、データを記憶するための記憶部７１７などを含み得る。上記の通信部７０１、ＣＰＵ７１０、ＲＯＭ７１３、ＲＡＭ７１５および／または記憶部７１７などは、データおよび／またはコマンドバス７２０を介して相互接続され、互いの間で信号を転送し得る。
【００２８】
上記で説明したそれぞれのユニットは本開示の範囲を限定するものではない。本開示の一実装形態によれば、上記の通信部７０１の機能はハードウェアによって実装でき、上記のＣＰＵ７１０、ＲＯＭ７１３、ＲＡＭ７１５および／または記憶部７１７は不要であり得る。代替的に、上記の通信部７０１の機能は、上記のＣＰＵ７１０、ＲＯＭ７１３、ＲＡＭ７１５および／または記憶部７１７などと組み合わせて機能ソフトウェアによっても実装され得る。
【００２９】
それに応じて、受信側において、ユーザ機器（ＵＥ）と対応するＵＥとによって実行されるデバイス間（Ｄ２Ｄ）ワイヤレス通信方法が提供される。通信方法は、通知または事前設定されたＤ２Ｄ受信リソースプールのセットにおいてＤ２Ｄ信号を受信するステップを含む。ＵＥは、通知または事前設定されたＤ２Ｄ受信リソースプールのセットにおいてＤ２Ｄ信号を受信するように構成された通信部を備える。ここで、通知されたＤ２Ｄ受信リソースプールは、ｅノードＢ（ｅＮＢ）によって送信される個別無線リソース制御（ＲＲＣ）シグナリングによって通知された受信リソースプール、ｅＮＢによって送信されるシステム情報ブロック（ＳＩＢ）によって通知された受信リソースプール、および／または他のＵＥによって送信される物理デバイス間共有チャネル（ＰＤ２ＤＳＣＨ）によって通知された受信リソースプールである。通信方法６００とＵＥ７００とに関する上記の説明は、文脈が別段に示さない限り、ここでも適用され得ることに留意されたい。
【００３０】
本発明は、ソフトウェア、ハードウェア、またはハードウェアと協働するソフトウェアによって実現され得る。上記で説明した各実施形態の説明において使用される各機能ブロックは、集積回路としてＬＳＩによって実現され得る。それらは個々にチップとして形成でき、あるいは１つのチップは、機能ブロックの一部または全部を含むように形成され得る。ここでのＬＳＩは、集積の程度の差異に応じて、ＩＣ、システムＬＳＩ、超ＬＳＩ、または極超ＬＳＩと呼ばれることがある。ただし、集積回路を実装する技法はＬＳＩに限定されず、専用回路または汎用プロセッサを使用することによって実現され得る。さらに、ＬＳＩの製造後にプログラムされ得るＦＰＧＡ（Field Programmable Gate Array）、またはＬＳＩ内に配設された回路セルの接続および設定が再構成され得る再構成可能プロセッサが使用され得る。さらに、各機能ブロックの計算は、例えば、ＤＳＰまたはＣＰＵを含む、計算手段を使用することによって実行でき、各機能の処理ステップは、実行用のプログラムとして記録媒体上に記録され得る。さらに、半導体技術または他の派生技術の進歩に応じてＬＳＩの代わりとなる集積回路を実装するための技術が現れるとき、機能ブロックはそのような技術を使用することによって組み込まれ得ることが明らかである。
【００３１】
本発明は、本発明の内容および範囲から逸脱することなく、本明細書で提示した説明および既知の技術に基づいて当業者によって様々に変更または修正されることが意図され、そのような変更および適用例は、保護されるべきことが主張される範囲内に入ることに留意されたい。さらに、本発明の内容から逸脱しない範囲において、上記で説明した実施形態の構成要素は任意に組み合わされ得る。
【図１】
2020043616.tif 000003
【図２】
2020043616.tif 000004
【図３】
2020043616.tif 000005
【図４】
2020043616.tif 000006
【図５】
2020043616.tif 000007
【図６】
2020043616.tif 000008
【図７】
2020043616.tif 000009